(57)【要約】      （修正有）【課題】ロック及びロック解除が簡単な超薄型コネクタを提供する。【解決手段】端子と、カバー１２と、複数のロック部材１４と、絶縁体１６とで構成されている。カバーは第一本体と、複数の開口部と、複数の作動部材と、複数の弾性部材と、複数の第一係止部と、を含む。これら前記ロック部材は第二本体と、フック部と、フックアームと、ソケットコンタクトと、第二係止部と、を具備している。フックアームは駆動ブロックに対応するように設置されている。絶縁体は第三本体と、複数の孔部と、複数の凹部と、を備えている。これら前記凹部はこれら前記作動部材に対応するように設けられ、これら前記作動部材の変形を受容可能である。各これら前記作動部材に外力を付勢することにより、各これら前記作動部材が駆動ブロックによりフックアームを変形するように駆動させ、フック部の切り欠きへのロックを解除させる。【選択図】図１
0003233942.tif 000002
【実用新案登録請求の範囲】
【請求項１】
フレキシブルケーブル及びプリント回路基板に接続するためのロック及びロック解除が簡単な超薄型コネクタであって、
前記フレキシブルケーブル及び前記プリント回路基板に接続するための端子と、
収容空間が形成されているカバーであって、前記カバーは第一本体、複数の開口部、複数の作動部材、複数の弾性部材、及び複数の第一係止部を有し、前記第一本体はこれら前記開口部にこれら前記作動部材及びこれら前記弾性部材が形成されることにより、これら前記作動部材及びこれら前記弾性部材がこれら前記開口部に懸装され、これら前記作動部材はこれら前記弾性部材に連接され、これら前記第一係止部は前記第一本体の両側辺に形成され、各これら前記作動部材には前記収容空間に向けられる駆動ブロックがさらに形成されているカバーと、
第二本体、フック部、フックアーム、ソケットコンタクト、及び第二係止部を有し、前記第二本体は前記収容空間に設置され、前記フック部は前記フックアームの一端に形成されていると共に前記フレキシブルケーブルの切り欠きに対応し、前記フックアームの他端は前記第二本体に連接されていると共に前記フックアームは前記駆動ブロックに対応するように設置され、前記ソケットコンタクト及び前記第二係止部は前記第二本体に形成され、前記第二係止部は前記第一係止部に対応するように設けられている複数のロック部材と、
前記収容空間に設置されている絶縁体であって、前記絶縁体は第三本体、複数の孔部、及び複数の凹部を有し、これら前記孔部及びこれら前記凹部は前記第三本体に形成され、これら前記孔部はこれら前記ロック部材に対応するように設けられ、これら前記ロック部材が前記絶縁体に固定され、これら前記凹部はこれら前記作動部材に対応するように設けられ、これら前記作動部材の変形を受容する絶縁体と、を備え、
前記フレキシブルケーブルを前記収容空間に挿入することで、前記フック部が前記切り欠きに自動的にロックし、且つ各これら前記作動部材に外力を付勢することにより、各これら前記作動部材が前記駆動ブロックにより前記フックアームを変形するように駆動させ、前記フック部の前記切り欠きへのロックを解除させることを特徴とするロック及びロック解除が簡単な超薄型コネクタ。
【請求項２】
各これら前記第一係止部は開口部であり、各これら前記第二係止部はバンプであり、前記開口部及び前記バンプは相互に干渉することを特徴とする請求項１に記載のロック及びロック解除が簡単な超薄型コネクタ。
【請求項３】
前記フックアームには前記駆動ブロックが接触するように押圧面がさらに形成されていることを特徴とする請求項１に記載のロック及びロック解除が簡単な超薄型コネクタ。
【請求項４】
前記第三本体はこれら前記作動部材に対応するように設置されている複数の位置限定部材をさらに有し、これら前記位置限定部材はこれら前記作動部材の移動量を制限していることを特徴とする請求項１に記載のロック及びロック解除が簡単な超薄型コネクタ。
【請求項５】
各これら前記位置限定部材は斜面であり、各これら前記斜面の角度は3度乃至20度の間の範囲であることを特徴とする請求項４に記載のロック及びロック解除が簡単な超薄型コネクタ。
【考案の詳細な説明】
【技術分野】
【０００１】
本考案は、コネクタの分野に関し、詳しくは、ロック及びロック解除が簡単な超薄型コネクタ（An ultra-thin easy-lock and easy-unlock connector）に関する。
【背景技術】
【０００２】
従来の自動ラッチコネクタは、自動ラッチ構造の設計のため、厚さを効果的に薄くすることができず、薄型ノートパソコンのような薄型化が必要な場面では有効的に使用できなかった。
【０００３】
そこで、本考案者は上記の欠点が改善可能と考え、鋭意検討を重ねた結果、合理的設計で上記の課題を効果的に改善する本考案の提案に至った。
本考案により、従来のコネクタに起因する問題或いは従来のコネクタが解決できなかった問題を解決する。
【考案の概要】
【考案が解決しようとする課題】
【０００４】
本考案は、このような従来の問題に鑑みてなされたものである。本考案の第一の目的は、プリント回路基板及びフレキシブルケーブルに接続可能であり、及び手動ロック解除の目的を達成するロック及びロック解除が簡単な超薄型コネクタを提供する。
【０００５】
本考案の第二の目的は、上述のロック及びロック解除が簡単な超薄型コネクタに基づいて、カバーに作動部材及び弾性部材を形成することで、薄型化の目的を達成する。
【０００６】
本考案の第三の目的は、上述のロック及びロック解除が簡単な超薄型コネクタに基づいて、第二本体、フック部、フックアーム、ソケットコンタクト、及び第二係止部を有しているロック部材を提供し、フレキシブルケーブルをカバーの収容空間にロックする或いはカバーの収容空間から退出させる目的を達成する。
【０００７】
本考案の第四の目的は、上述のロック及びロック解除が簡単な超薄型コネクタに基づいて、ロック部材のフックアームに押圧面をさらに形成し、駆動ブロックを容易に接触させて間接的に駆動する目的を達成する。
【０００８】
本考案の第五の目的は、上述のロック及びロック解除が簡単な超薄型コネクタに基づいて、絶縁体に作動部材に対応するように設置する位置限定部材を形成し、作動部材の移動量を制限することで過度な力が付勢されてロック及びロック解除が簡単な超薄型コネクタが損壊する状況を回避する。
【０００９】
本考案の第六の目的は、上述のロック及びロック解除が簡単な超薄型コネクタに基づいて、第一係止部及び第二係止部が相互に干渉することで結合の目的を達成する。
【００１０】
本考案の第七の目的は、上述のロック及びロック解除が簡単な超薄型コネクタに基づいて、強化部材を第一本体に形成し、カバーの強度を強化する。
【課題を解決するための手段】
【００１１】
上記目的を達成するための主たる考案は、プリント回路基板及びフレキシブルケーブルに接続可能であるロック及びロック解除が簡単な超薄型コネクタであって、前記ロック及びロック解除が簡単な超薄型コネクタは、端子と、カバーと、複数のロック部材と、絶縁体と、を備えている。端子はフレキシブルケーブル及びプリント回路基板に接続可能である。カバーには収容空間が形成されている。カバーは第一本体と、複数の開口部と、複数の作動部材と、複数の弾性部材と、複数の第一係止部と、を含む。第一本体はこれら前記開口部にこれら前記作動部材及びこれら前記弾性部材が形成されることにより、これら前記作動部材及びこれら前記弾性部材がこれら前記開口部に懸装されている。これら前記作動部材はこれら前記弾性部材に連接されている。これら前記第一係止部は前記第一本体の両側辺に形成されている。各これら前記作動部材には収容空間に向けられている駆動ブロックがさらに形成されている。これら前記ロック部材は第二本体と、フック部と、フックアームと、ソケットコンタクトと、第二係止部と、を具備している。第二本体は収容空間に設置されている。フック部はフックアームの一端に形成されていると共にフレキシブルケーブルの切り欠きに対応する。フックアームの他端は第二本体に連接され、フックアームは駆動ブロックに対応するように設置されている。ソケットコンタクト及び第二係止部は第二本体に形成されている。第二係止部は第一係止部に対応するように設けられている。絶縁体は収容空間に設置されている。絶縁体は第三本体、複数の孔部、及び複数の凹部を有している。これら前記孔部及びこれら前記凹部は第三本体に形成されている。これら前記孔部はこれら前記ロック部材に対応するように設けられ、これら前記ロック部材が絶縁体に固定されている。これら前記凹部はこれら前記作動部材に対応するように設けられ、これら前記作動部材の変形を受容可能である。フレキシブルケーブルを収容空間に挿入することで、フック部を切り欠きに自動的にロックさせ、且つ各これら前記作動部材に外力を付勢することにより、各これら前記作動部材が駆動ブロックによりフックアームを変形するように駆動し、フック部の切り欠きへのロックを解除させることを特徴とするロック及びロック解除が簡単な超薄型コネクタである。
【考案の効果】
【００１２】
従来のコネクタと比較すると、本考案に係るロック及びロック解除が簡単な超薄型コネクタは、カバーに一体型の作動部材及び弾性部材の構造を形成することでロック部材を間接的に操作し、コネクタの薄型化を実現し、且つコネクタが自動ロック及び手動ロック解除機能を有している。
【図面の簡単な説明】
【００１３】
【図１】本考案の第１実施例に係るロック及びロック解除が簡単な超薄型コネクタを模式的に示した傾斜図である。
【図２ａ】図１に示すカバーを示す上面図である。
【図２ｂ】図１に示すカバーを示す側面図である。
【図３】図１に示すロック部材を示す概略構成図である。
【図４】図１に示すロック部材、端子と絶縁体を示す組み合わせ上面図である。
【図５ａ】図１に示すロック及びロック解除が簡単な超薄型コネクタを示した断面図である。
【図５ｂ】本考案のロック及びロック解除が簡単な超薄型コネクタがフレキシブルケーブルとプリント回路基板を組み合わせるものに適用される概略図である。
【図６ａ】図１に示すロック及びロック解除が簡単な超薄型コネクタを示した断面図である。
【図６ｂ】本考案のロック及びロック解除が簡単な超薄型コネクタがフレキシブルケーブルとプリント回路基板を組み合わせるものに適用される概略図である。
【考案を実施するための形態】
【００１４】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１５】
本明細書において、「１」または「１つ」という用語を使用して本文の単位、部材、及び組立部材を説明している。これは説明を分かりやすくするためにすぎず、本考案の範疇について一般的な意義を提供している。よって、他の意味が明示されていない限り、このような描写は１つ及び少なくとも１つという意味を含み、且つ単数と同時に複数も含むと理解すべきである。
【００１６】
なお、本明細書において、「備える」、「含む」、「有している」、「含有している」、或いは他の類似するあらゆる用語は被排他的に包括する物品を含む。一例を挙げると、複数の要素を含む部材、構造、製品、または装置が本文に列挙された要素に限られず、明確に列挙されていないが前記部材、構造、製品、または装置が通常固有の他の要素であるものも含まれる。このほか、明確に反対の説明がなされていない限り、「或いは」という用語 は包括的な「或いは」という意義を指し、排他的な「或いは」ではない
【００１７】
図１は本考案の第１実施例に係るロック及びロック解除が簡単な超薄型コネクタを模式的に示した傾斜図である。図１において、ロック及びロック解除が簡単な超薄型コネクタ１０は図５（ｂ）及び図６（ｂ）のフレキシブルケーブル２及びプリント回路基板４に接続可能である。
【００１８】
ロック及びロック解除が簡単な超薄型コネクタ１０はカバー１２と、ロック部材１４と、絶縁体１６と、端子１８と、を備えている。端子１８はフレキシブルケーブル２及びプリント回路基板４に接続されている。
【００１９】
カバー１２には収容空間ＳＰが形成されている。本実施例において、カバー１２の外形はＣ形状を呈している。図２ａは図１に示すカバー１２を示す上面図である。図２ｂは図１に示すカバー１２を示す側面図である。
【００２０】
カバー１２は第一本体１２２と、開口部１２４と、作動部材１２６と、弾性部材１２８と、第一係止部１２１０と、を備えている。本実施例において、開口部１２４、作動部材１２６、弾性部材１２８、及び第一係止部１２１０が２つであるものを例として説明しているが、以下ではそのうちの１つについて説明するが、もう１つも同じであるため同じ説明を適用し、ここでは、その説明を省略する。
【００２１】
第一本体１２２は開口部１２４に作動部材１２６及び弾性部材１２８が形成されている。一例を挙げると、第一本体１２２に切断または型等の方式で開口部１２４を形成することにより、作動部材１２６及び弾性部材１２８を間接に形成している。作動部材１２６は弾性部材１２８に接続されている。本実施例において、弾性部材１２８は第一本体１２２の側縁箇所から延伸し、作動部材１２６及び弾性部材１２８を開口部１２４に懸装させている。また、作動部材１２６には収容空間ＳＰに向けられている駆動ブロック１２６２がさらに形成され、図２（ｂ）を参照すると、駆動ブロック１２６２は作動部材１２６から下向きに延伸されている。
【００２２】
第一係止部１２１０は第一本体１２２の両側辺に形成されている。本実施例において、第一係止部１２１０が開口部であるものを例として説明する。
【００２３】
また、カバー１２は第一本体１２２の側面にそれぞれ形成されている固定部材１２１２をさらに備え、これによりプリント回路基板４に設置可能となっている。前述の設置はロック、接着、溶接等の方式によって行われる。
【００２４】
また、カバー１２は第一本体１２２の側面に形成されている強化部材１２１４をさらに備えている。ここでは、強化部材１２２は収容空間ＳＰに向けて突起しており、カバー１２全体の高さを低めている。ここでは、強化部材１２１４が２つであるものを例として説明するが、他の実施例において、強化部材１２１４の数量は制限を受けない。
【００２５】
図３は図１に示すロック部材１４を示す概略構成図である。図３によると、ロック部材１４は第二本体１４２と、フック部１４４と、フックアーム１４６と、第二係止部１４８と、ソケットコンタクト１４１０と、を備えている。
【００２６】
第二本体１４２は収容空間ＳＰに設置されている。フック部１４４はフックアーム１４６の一端（或いは自由端と称する）に形成されていると共に従来のフレキシブルケーブル２の切り欠き（図示省略）に対応している。フックアーム１４６の他端は第二本体１４２に接続されていると共にフックアーム１４６は駆動ブロック１２６２に対応するように設置されている。ここでは、フックアーム１４６が駆動ブロック１２６２に容易に駆動されるようにフックアーム１４６を大面積を有する押圧面として設計し、駆動ブロック１２６２が接触するようにしている。ソケットコンタクト１４１０及び第二係止部１４８は第二本体１４２に形成されている。ここでは、ソケットコンタクト１４１０及び第二係止部１４８が２つであるものを例として説明するが、他の実施例において、数量は制限されない。
【００２７】
第二係止部１４８は第一係止部１２１０に対応するように設けられている。本実施例において、第二係止部１４８がバンプであるものを例として説明し、開口部（即ち、第一係止部１２１０）及びバンプ（即ち、第二係止部１４８）が相互に干渉することにより、ロック部材１４がカバー１２に係合する。他の実施例において、ロック部材１４が絶縁体１６にさらに挿着されてカバー１２に堅固に係合している。
【００２８】
図４は図１に示すロック部材、端子と絶縁体を示す組み合わせ上面図である。図４において、ロック部材１４及び端子１８の描写は前述の説明と同じであるため、ここでは、その説明を省略する。
【００２９】
絶縁体１６は収容空間ＳＰに設置されている。絶縁体１６は第三本体１６２、孔部１６４、及び凹部１６６を有し、ここでは、孔部１６４及び凹部１６６が２つであるものを例として説明し、以下ではそのうちの１つについて説明するが、もう１つも同じであるため同じ説明を適用し、ここでは、その説明を省略する。
【００３０】
孔部１６４及び凹部１６６は第三本体１６２に形成されている。孔部１６４はロック部材１４（例えば、ソケットコンタクト１４１０、フック部１４４、及びフックアーム１４６）に対応するように設けられ、ロック部材１４が絶縁体１６に固定されている。凹部１６６は作動部材１２６に対応するように設けられて作動部材１２６の変形を受容する。
【００３１】
図５ａは図１に示すロック及びロック解除が簡単な超薄型コネクタを示した断面図である。図５ｂは本考案のロック及びロック解除が簡単な超薄型コネクタがフレキシブルケーブルとプリント回路基板を組み合わせるものに適用される概略図である。
【００３２】
図５（ａ）及び図５（ｂ）では、ロック及びロック解除が簡単な超薄型コネクタ１０の作動部材１２６が未作動の状態を示す。フレキシブルケーブル２が収容空間ＳＰに挿入されると、フレキシブルケーブル２がロック部材１４のフック部１４４を持ち上げ、作動部材１２６も間接的にやや持ち上げ、フック部１４４がフレキシブルケーブル２の切り欠きに対応した後、フック部１４４が切り欠きに挿入され、フレキシブルケーブル２がフック部１４４により収容空間ＳＰ中に制限され、切り欠きに自動的にロックする目的を達成する。ちなみに、図５（ａ）では、絶縁体１６が本来有している第三本体１６２、孔部１６４、及び凹部１６６以外、位置限定部材１６８をさらに備えている。位置限定部材１６８は作動部材１２６に対応するように設置され、作動部材１２６の移動量を制限している。換言すれば、位置限定部材１６８は作動部材１２６に外力Ｆが付勢されて凹部１６６で変形する深さを制限している。ここでは、位置限定部材は斜面であるものを例として説明し、且つ斜面の角度は例えば3度乃至20度の間の範囲である。
【００３３】
図６ａは図１に示すロック及びロック解除が簡単な超薄型コネクタを示した断面図である。図６ｂは本考案のロック及びロック解除が簡単な超薄型コネクタがフレキシブルケーブルとプリント回路基板を組み合わせるものに適用される概略図である。
【００３４】
図６（ａ）及び図６（ｂ）では、ロック及びロック解除が簡単な超薄型コネクタ１０の作動部材１２６の作動状態を示す。作動部材１２６に外力Ｆを付勢することにより、作動部材１２６が駆動ブロック１２６２によりフックアーム１４６を変形するように間接的に駆動する。例えば、フックアーム１４６が下方に移動してフック部１４４も下方に移動するように連動させ、最後にフレキシブルケーブル２を収容空間ＳＰから取り出すことで、フック部１４４の切り欠きへのロックを解除する目的を達成する。
【００３５】
上記説明は、本考案を説明するためのものであって、実用新案登録請求の範囲に記載の考案を限定し、或いは範囲を限縮するように解すべきではない。また、本考案の各部構成は、上記実施例に限らず、実用新案登録請求の範囲に記載の技術的範囲内で種々の変形が可能であることは勿論である。
【符号の説明】
【００３６】
２  フレキシブルケーブル
４  プリント回路基板
１０  ロック及びロック解除が簡単な超薄型コネクタ
１２  カバー
１２２  第一本体
１２４  開口部
１２６  作動部材
１２６２  駆動ブロック
１２８  弾性部材
１２１０  第一係止部
１２１２  固定部材
１２１４  強化部材
１４  ロック部材
１４２  第二本体
１４４  フック部
１４６  フックアーム
１４８  第二係止部
１４１０  ソケットコンタクト
１６  絶縁体
１６２  第三本体
１６４  孔部
１６６  凹部
１８  端子
ＳＰ  収容空間
Ｆ  外力
【図１】
0003233942.tif 000003
【図２（ａ）】
0003233942.tif 000004
【図２（ｂ）】
0003233942.tif 000005
【図３】
0003233942.tif 000006
【図４】
0003233942.tif 000007
【図５（ａ）】
0003233942.tif 000008
【図５（ｂ）】
0003233942.tif 000009
【図６（ａ）】
0003233942.tif 000010
【図６（ｂ）】
0003233942.tif 000011